(57)【要約】【課題】複数の通信系統に分岐された映像信号が音声信号に干渉することなく、ノイズや誤動作の発生を抑制することができる通信装置を提供する。【解決手段】第１系統の伝送路から送信された音声信号を受信する第１アンプ３ｄとして非反転アンプ、第２系統の伝送路から送信された音声信号を受信する第２アンプ３ｅとして非反転アンプを適用する。これにより、アンプ２ｃから送出された後、第１フィルタＦＩＬ−１１及び第３フィルタＦＩＬ−２１を経由して音声信号伝送部３の第１アンプ３ｄに回り込んで増幅される信号と、アンプ２ｃから送出された後、第２フィルタＦＩＬ−１２及び第４フィルタＦＩＬ−２２を経由して音声信号伝送部３の第２アンプ３ｅに回り込んで増幅される信号とが、互いに逆位相となって打ち消し合いノイズ成分が低減される。【選択図】図１
2011135231.tif 000002
【特許請求の範囲】
【請求項１】
複数の通信装置が複数系統の伝送路を介して接続され、
第１周波数帯域で第１信号を伝送する第１信号伝送手段と、第１周波数帯域と異なる第２周波数帯域で第２信号を伝送する第２信号伝送手段とを備え、
前記第１信号と第２信号とが、共通の複数系統の伝送路を介して周波数分割多重伝送される通信装置であって、
第１系統の伝送路が接続される第１端子と、第２系統の伝送路が接続される第２端子とを備え、
前記第１信号伝送手段は、第１フィルタを介して前記第１端子と接続されるとともに、第２フィルタを介して前記第２端子と接続され、
前記第２信号伝送手段は、第３フィルタを介して前記第１端子と接続されるとともに、第４フィルタを介して前記第２端子と接続され、
前記第２信号伝送手段は、第１端子に接続される第１信号受信部と、第２端子に接続される第２信号受信部とを有し、
前記第１信号受信部から受信される信号と、前記第２信号受信部から受信される信号とは、互いに逆位相であることを特徴とする通信装置。
【請求項２】
前記第１信号伝送手段と前記第１フィルタとの間には、前記第１端子に出力する信号の振幅を調整する第１送信レベル調整手段を、前記第２信号伝送手段と前記第１フィルタとの間には、前記第２端子に出力する信号の振幅を調整する第２送信レベル調整手段をそれぞれ配設されていることを特徴とする請求項１に記載の通信装置。
【請求項３】
前記第１端子と前記第１フィルタの間には前記第１系統の伝送路のインピーダンスを調整する第１インピーダンス調整回路が、前記第２端子と前記第２フィルタの間には前記第２系統の伝送路のインピーダンスを調整する第２インピーダンス調整回路が、それぞれ配設されていることを特徴とする請求項１に記載の通信装置。
【請求項４】
前記第１フィルタ乃至第４フィルタは、フィルタ特性を調整するフィルタ特性調整手段を備えていることを特徴とする請求項１に記載の通信装置。
【請求項５】
前記第２信号伝送手段は、前記第３フィルタから該第２信号伝送手段に回り込む信号の振幅を調整する第１受信レベル調整手段と、前記第３フィルタから該第２信号伝送手段に回り込む信号の振幅を調整する第２受信レベル調整手段とを備えていることを特徴とする請求項１に記載の通信装置。
【請求項６】
前記第１系統の伝送路を介して接続される通信装置の台数を検知する第１台数検知手段と、
前記第２系統の伝送路を介して接続される通信装置の台数を検知する第２台数検知手段とをさらに備え、
前記第１系統の伝送路を介して接続される通信装置の台数と前記第２系統の伝送路を介して接続される通信装置の台数に基づいて、請求項２乃至請求項５のいずれか一項に記載の調整を制御する制御手段をさらに備えたことを特徴とする請求項２乃至請求項５のいずれか一項に記載の通信装置。
【請求項７】
前記第１端子を介して前記第１系統の伝送路に出力される信号の振幅を検知する第１出力レベル検知手段と、前記第２端子を介して前記第２系統の伝送路に出力される信号の振幅を検知する第２出力レベル検知手段とを備え、
前記第１端子を介して出力される信号の振幅と、第２端子を介して出力される信号の振幅に基づいて、請求項２乃至請求項５のいずれか一項に記載の調整を制御する制御手段をさらに備えたことを特徴とする請求項２乃至請求項５のいずれか一項に記載の通信装置。
【請求項８】
前記第１端子から第２信号伝送手段の第１信号受信部に入力される信号の振幅を検知する第１入力レベル検知手段と、
第２端子から第２信号伝送手段の第２信号受信部に入力される信号の振幅を検知する第２入力レベル検知手段とを備え、
前記第１端子から前記第１信号受信部に入力される信号の振幅と、前記第２端子から前記第２信号受信部に入力される信号の振幅に基づいて、請求項２乃至請求項５のいずれか一項に記載の調整を制御する制御手段をさらに備えたことを特徴とする請求項２乃至請求項５のいずれか一項に記載の通信装置。
【請求項９】
相互に通信が可能な複数の主通信装置と、いずれかの主通信装置と接続されて該主通信装置との間で通信を行う副通信装置とを備えた通信システムにおいて、
前記いずれかの主通信装置と前記副通信装置とは第１系統の伝送路を介して接続され、該いずれかの主通信装置と他の主通信装置とは第２系統の伝送路を介して接続され、
前記いずれかの主通信装置として、請求項１乃至請求項８のいずれか一項に記載の通信装置を適用したことを特徴とする通信システム。
【発明の詳細な説明】
【技術分野】
【０００１】
本発明は、複数の通信系統を結合して成るインターホンに適用して好適な通信装置に関するものである。
【背景技術】
【０００２】
近年、通信環境の複雑化に伴い、複数の通信系統を結合して成るインターホンシステムへの対応が要求されている。図５は、そのようなインターホンシステムの一例として、２世帯住宅に適用されるインターホンシステム（通信システム）１００の概略構成を示している。インターホンシステム１００は、各世帯用に設けられる親機（主通信装置）１０、１１と、玄関等に設置される子機１２と、各世帯に属する個人用に設けられる副親機（副通信装置）１３、１４、１５、１６等によって構成されている。親機１０は、相手方の親機１１及び子機１２、並びに自機の下位に属する副親機１３、１４と相互に通信し、映像信号と音声信号を送受信する。親機１１も、相手方の親機１０及び子機１２、並びに自機の下位に属する副親機１５、１６と相互に通信し、映像信号と音声信号を送受信する。親機１１は、他の子機（図示せず）と接続されていてもよい。子機１２は、玄関先の映像を撮像するカメラと音声を収録するマイクを有している。子機１２によって撮像された映像及び収録された音声は、親機１０、１１及び副親機１３、１４、１５、１６のモニタ及びスピーカによって再生される。副親機１３、１４、１５、１６は、各個人の部屋に設置される。
【０００３】
このようなインターホンシステム１００においては、信号伝送線の施工を容易なものとするために、信号伝送線の簡素化（本数の削減）の要請がある。そこで、映像信号及び音声信号を時分割多重化して伝送する技術や周波数分割多重化して伝送する技術が提案されている。例えば、特許文献１には、映像信号と音声信号をデジタル変調して周波数分割多重化して伝送する技術が示されている。
【先行技術文献】
【特許文献】
【０００４】
【特許文献１】特開２００７−１７４５７８号公報
【発明の概要】
【発明が解決しようとする課題】
【０００５】
図６は、上記特許文献１に示された技術を、図５に示した２世帯住宅のインターホンシステム１００の親機１０に適用した通信装置１１０の例を示している。図６において、第１端子ＴＭ１は自機の下位に属する副親機１３、１４と、第２端子ＴＭ２は相手方の親機１１とそれぞれ接続される。また、映像信号伝送部２から映像信号が出力され、音声信号伝送部３から音声信号が入出力される。
【０００６】
映像信号伝送部２から出力される映像信号は、映像信号伝送部２のアンプ１０２ｃによって増幅されて、第１フィルタＦＩＬ−１１を介して映像信号の伝送に用いられる周波数帯域に濾波された後、第１端子ＴＭ１から副親機１３、１４が接続される第１系統の伝送路に出力される。また、映像信号伝送部２のアンプ１０２ｃによって増幅された映像信号は、分岐されて第２フィルタＦＩＬ−１２を介して映像信号の伝送に用いられる周波数帯域に濾波された後、第２端子ＴＭ２から親機１１が接続される第２系統の伝送路に出力される。
【０００７】
同様に、音声信号伝送部３から出力される音声信号は、音声信号伝送部３のアンプ３ｃによって増幅されて、第３フィルタＦＩＬ−２１を介して音声信号の伝送に用いられる周波数帯域に濾波された後、第１端子ＴＭ１から副親機１３、１４が接続される第１系統の伝送路に出力される。また、音声信号伝送部３のアンプ３ｃによって増幅された音声信号は、分岐されて第４フィルタＦＩＬ−２２を介して音声信号の伝送に用いられる周波数帯域に濾波された後、第２端子ＴＭ２から親機１１が接続される第２系統の伝送路に出力される。
【０００８】
ところが、第１フィルタＦＩＬ−１１を通過した後第３フィルタＦＩＬ−２１によって除去できなかった映像信号の成分は、音声信号伝送部３のアンプ１０３ｄに至る信号系統の伝送路に漏れて回り込む。同様に、第２フィルタＦＩＬ−１２を通過した後第４フィルタＦＩＬ−２２によって除去できなかった映像信号の成分は、音声信号伝送部３のアンプ１０３ｄに至る信号系統の伝送路に漏れて回り込む。これらの第３フィルタＦＩＬ−２１から回り込んだ映像信号の成分と、第４フィルタＦＩＬ−２２から回り込んだ映像信号の成分は、合成されて略倍の振幅となって音声信号伝送部３に入力され、音声信号伝送部３の送受信回路３ｂにおいて本来受信すべき音声信号に映像信号の成分が加算される。映像信号の伝送に用いられる周波数帯域と音声信号の伝送に用いられる周波数帯域が近い場合は、特にこの傾向が強い。その結果、音声信号伝送部３は、音声信号から映像信号を分離できなくなり、映像信号が音声信号に干渉して受信エラーが発生したり、ノイズや誤動作の原因となる。映像信号の伝送に用いられる周波数帯域と音声信号の伝送に用いられる周波数帯域が十分に離れている場合は問題が生じないが、接近している場合は正常な通信を行うにあたって障害となる。このような課題は、２世帯住宅に適用されるインターホンに限られるものではなく、複数に分岐された通信系統を結合して成る通信装置に共通するものである。
【０００９】
本発明は、上記課題を解決するためになされたものであり、複数の通信系統に分岐された映像信号が音声信号に干渉することなく、ノイズや誤動作の発生を抑制することができる通信装置を提供することを目的とする。
【課題を解決するための手段】
【００１０】
上記目的を達成するために請求項１の発明は、複数の通信装置が複数系統の伝送路を介して接続され、第１周波数帯域で第１信号を伝送する第１信号伝送手段と、第１周波数帯域と異なる第２周波数帯域で第２信号を伝送する第２信号伝送手段とを備え、前記第１信号と第２信号とが、共通の複数系統の伝送路を介して周波数分割多重伝送される通信装置であって、第１系統の伝送路が接続される第１端子と、第２系統の伝送路が接続される第２端子とを備え、前記第１信号伝送手段は、第１フィルタを介して前記第１端子と接続されるとともに、第２フィルタを介して前記第２端子と接続され、前記第２信号伝送手段は、第３フィルタを介して前記第１端子と接続されるとともに、第４フィルタを介して前記第２端子と接続され、前記第２信号伝送手段は、第１端子に接続される第１信号受信部と、第２端子に接続される第２信号受信部とを有し、前記第１信号受信部から受信される信号と、前記第２信号受信部から受信される信号とは、互いに逆位相であることを特徴とする。
【００１１】
請求項２の発明は、請求項１に記載の通信装置において、前記第１信号伝送手段と前記第１フィルタとの間には、前記第１端子に出力する信号の振幅を調整する第１送信レベル調整手段を、前記第２信号伝送手段と前記第１フィルタとの間には、前記第２端子に出力する信号の振幅を調整する第２送信レベル調整手段をそれぞれ配設されていることを特徴とする。
【００１２】
請求項３の発明は、請求項１記載の通信装置において、前記第１端子と前記第１フィルタの間には前記第１系統の伝送路のインピーダンスを調整する第１インピーダンス調整回路が、前記第２端子と前記第２フィルタの間には前記第２系統の伝送路のインピーダンスを調整する第２インピーダンス調整回路が、それぞれ配設されていることを特徴とする。
【００１３】
請求項４の発明は、請求項１記載の通信装置において、前記第１フィルタ乃至第４フィルタは、フィルタ特性を調整するフィルタ特性調整手段を備えていることを特徴とする。
【００１４】
請求項５の発明は、請求項１記載の通信装置において、前記第２信号伝送手段は、前記第３フィルタから該第２信号伝送手段に回り込む信号の振幅を調整する第１受信レベル調整手段と、前記第３フィルタから該第２信号伝送手段に回り込む信号の振幅を調整する第２受信レベル調整手段とを備えていることを特徴とする。
【００１５】
請求項６の発明は、請求項２乃至請求項５のいずれか一項に記載の通信装置において、前記第１系統の伝送路を介して接続される通信装置の台数を検知する第１台数検知手段と、  前記第２系統の伝送路を介して接続される通信装置の台数を検知する第２台数検知手段とをさらに備え、前記第１系統の伝送路を介して接続される通信装置の台数と前記第２系統の伝送路を介して接続される通信装置の台数に基づいて、請求項２乃至請求項５のいずれか一項に記載の調整を制御する制御手段をさらに備えたことを特徴とする。
【００１６】
請求項７の発明は、請求項２乃至請求項５のいずれか一項に記載の通信装置において、前記第１端子を介して前記第１系統の伝送路に出力される信号の振幅を検知する第１出力レベル検知手段と、前記第２端子を介して前記第２系統の伝送路に出力される信号の振幅を検知する第２出力レベル検知手段とを備え、前記第１端子を介して出力される信号の振幅と、第２端子を介して出力される信号の振幅に基づいて、請求項２乃至請求項５のいずれか一項に記載の調整を制御する制御手段をさらに備えたことを特徴とする。
【００１７】
請求項８の発明は、請求項２乃至請求項５のいずれか一項に記載の通信装置において、前記第１端子から前記第１信号受信部に入力される信号の振幅と、前記第２端子から前記第２信号受信部に入力される信号の振幅に基づいて、請求項２乃至請求項５のいずれか一項に記載の調整を制御する制御手段をさらに備えたことを特徴とする。
【００１８】
請求項９の発明は、相互に通信が可能な複数の主通信装置と、いずれかの主通信装置と接続されて該主通信装置との間で通信を行う副通信装置とを備えた通信システムにおいて、  前記いずれかの主通信装置と前記副通信装置とは第１系統の伝送路を介して接続され、該いずれかの主通信装置と他の主通信装置とは第２系統の伝送路を介して接続され、前記いずれかの主通信装置として、請求項１乃至請求項８のいずれか一項に記載の通信装置を適用したことを特徴とする。
【発明の効果】
【００１９】
請求項１の発明によれば、第１信号伝送手段から送出された後、第１フィルタ及び第３フィルタを経由して第２信号伝送手段に回り込んで第１信号受信部を介して受信される信号と、第１信号伝送手段から送出された後、第２フィルタ及び第４フィルタを経由して第２信号伝送手段に回り込んで第２信号受信部を介して受信される信号とが、互いに逆位相となって打ち消し合う。その結果、第２信号伝送手段が本来受信する信号に対してノイズとなる第１信号の成分を低減し、誤動作の発生を抑制することができる。例えば、第１周波数帯域を用いて映像信号を、第２周波数帯域を用いて音声信号を伝送する場合、映像信号が音声信号に干渉することを抑制し、ノイズや誤動作の発生を抑制することが可能となる。特に、第１周波数帯域と第２周波数帯域が近い場合であっても、各フィルタとして急峻な特性を有する高価で複雑な構成のフィルタを用いることなくノイズや誤動作の発生を抑制できるので、通信装置の小型化や低コスト化が可能となる。
【００２０】
請求項２の発明によれば、第１送信レベル調整手段及び第２送信レベル調整手段によって第１端子に出力する信号及び第２端子に出力する信号の出力レベルを適宜調整することにより、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を同等なものとすることができる。従って、これら２つの信号が加算されて相殺されることで、さらに多くの第１信号の成分を除去できるので、第１信号の回り込みによる第２信号への干渉をより一層低減することが可能となる。
【００２１】
請求項３の発明によれば、第１インピーダンス調整回路及び第２インピーダンス調整回路によって第１系統及び第２系統の伝送路のインピーダンスを適宜調整することにより、各系統の伝送路に出力される信号の振幅を変更できる。これにより、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を同等なものとすることができ、逆位相の信号の相殺作用によって第１信号の回り込みによる第２信号への干渉をより一層低減することが可能となる。
【００２２】
請求項４の発明によれば、フィルタ特性調整手段によって第１フィルタ乃至第４フィルタのフィルタ特性を適宜調整することにより、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を同等なものとすることができ、逆位相の信号の相殺作用によって第１信号の回り込みによる第２信号への干渉をより一層低減することが可能となる。
【００２３】
請求項５の発明によれば、第１受信レベル調整手段及び第２受信レベル調整手段によって、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を適宜調整して同等なものとすることができ、逆位相の信号の相殺作用によって第１信号の回り込みによる第２信号への干渉をより一層低減することが可能となる。
【００２４】
請求項６の発明によれば、第１系統及び第２系統の伝送路を介して接続される通信装置の台数に応じて、制御手段によって、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を適宜自動的に調整して同等なものとすることができる。すなわち、各系統に接続される通信装置の台数に応じて各系統のインピーダンスが変動し、各系統の伝送路に出力される信号の振幅が変化するところ、本発明においては、第１信号送信部から第２信号伝送手段に回り込む信号の振幅と、第２信号送信部から第２信号伝送手段に回り込む信号の振幅が同等となるように調整されるので、第１信号の回り込みによる第２信号への干渉をより一層低減することが可能となる。また、第１系統及び第２系統の伝送路を介して接続される通信装置の台数に応じて、干渉が少なくなるように最適に調整できるので、複数の通信装置を用いた通信システムの構築及び拡張が容易に行えるようになる。
【００２５】
請求項７の発明によれば、第１系統の伝送路に出力される信号の振幅と第２系統の伝送路に出力される信号の振幅に応じて、制御手段によって、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を適宜自動的に調整して同等なものとすることができる。すなわち、各系統に接続される通信装置の台数に応じて各系統のインピーダンスが変動し、各系統の伝送路に出力される信号の振幅が変化するところ、本発明においては、各系統の伝送路に出力される信号の振幅に応じて、第１信号伝送手段から第２信号伝送手段の第１信号受信部に回り込む信号の振幅と、第１信号伝送手段から第２信号伝送手段の第２信号受信部に回り込む信号の振幅が略完全に打ち消し合うように適宜自動的に調整されるので、第１信号の回り込みによる第２信号への干渉を容易かつ効果的に低減することが可能となる。また、第１系統及び第２系統の伝送路を介して接続される通信装置の台数に応じて、干渉が少なくなるように最適に調整できるので、複数の通信装置を用いた通信システムの構築及び拡張が容易に行えるようになる。
【００２６】
請求項８の発明によれば、第１端子及び第２端子から第２信号伝送手段の第１信号受信部及び第２信号受信部に入力される信号の振幅に応じて、制御手段によって、第１信号伝送手段から送出された後、第２信号伝送手段の第１信号受信部に回り込む信号の振幅と、第１信号伝送手段から送出された後、第２信号伝送手段の第２信号受信部に回り込む信号の振幅を適宜自動的に調整して同等なものとすることができる。すなわち、各系統に接続される通信装置の台数に応じて各系統のインピーダンスが変動すると、それに伴い各系統の伝送路から第２信号伝送手段に入力される信号の振幅が変化するところ、本発明においては、各系統の伝送路から第２信号伝送手段に入力される信号の振幅に応じて、第１信号伝送手段から第２信号伝送手段の第１信号受信部に回り込む信号と、第２信号伝送手段から第２信号伝送手段の第２信号受信部に回り込む信号が略完全に打ち消し合うように調整されるので、第１信号の回り込みによる第２信号への干渉をより一層低減することが可能となる。また、第１系統及び第２系統の伝送路を介して接続される通信装置の台数に応じて、干渉が少なくなるように最適に調整できるので、複数の通信装置を用いた通信システムの構築及び拡張が容易に行えるようになる。
【００２７】
請求項９の発明によれば、複数の通信系統を結合して成る通信システムを容易かつ安価に構築することができる。また、通信システムの拡張も容易かつ安価に行えるようになる。
【図面の簡単な説明】
【００２８】
【図１】本発明の第１実施形態による通信装置の構成を示すブロック図。
【図２】本発明の第２実施形態による通信装置の構成を示すブロック図。
【図３】本発明の第３実施形態による通信装置の構成を示すブロック図。
【図４】本発明の第４実施形態による通信装置の構成を示すブロック図。
【図５】２世帯住宅に適用される通信システムの概略構成を示すブロック図。
【図６】従来の通信装置の構成を示すブロック図。
【発明を実施するための形態】
【００２９】
（第１実施形態）
本発明の通信装置について図面を参照して説明する。図１は、本発明の第１実施形態による通信装置１０Ａの構成を示している。通信装置１０Ａは、図５に示した親機１０、１１に適用される装置である。通信装置１０Ａを親機１０に適用する場合は、自機の下位に属する副親機１３、１４の系統（第１系統）の伝送路と、他の親機（相手方の親機）１１の系統（第２系統）の伝送路が通信装置１０Ａに接続される。通信装置１０Ａを親機１１に適用する場合は、自機の下位に属する副親機１５、１６の系統の伝送路と、他の親機１０の系統の伝送路が通信装置１０Ａに接続される。他の親機の系統の伝送路は、必要に応じて適宜追加することができる。以下、通信装置１０Ａを親機１０に適用する場合について説明する。
【００３０】
通信装置１０Ａは、映像信号伝送部（第１信号伝送手段）２と、音声信号伝送部（第２信号伝送手段）３と、第１端子ＴＭ１と、第２端子ＴＭ２と、第１フィルタＦＩＬ−１１と、第２フィルタＦＩＬ−１２と、第３フィルタＦＩＬ−２１と、第４フィルタＦＩＬ−２２と、第１出力レベル検知部４ａと、第２出力レベル検知部４ｂと制御部（制御手段）６と、第１送信レベル調整部（第１送信レベル調整手段）５ａ及び第２送信レベル調整部（第２送信レベル調整手段）５ｂ等によって構成されている。
【００３１】
第１端子ＴＭ１には、第１系統の伝送路を介して自機の下位に属する副親機１３、１４が接続される。第２端子ＴＭ２には、第２系統の伝送路を介して他の親機１１が接続される。
【００３２】
映像信号伝送部（第１信号伝送手段）２は、信号処理部２ａ、送受信回路２ｂ及びアンプ２ｃを有し、映像信号（第１信号）を第１系統の伝送路及び第２系統の伝送路に第１周波数帯域を用いて伝送する。信号処理部２ａによって圧縮・符号化等の処理が施された映像信号は、送受信回路２ｂによって送信され、送信用のアンプ２ｃによって増幅されて、第１フィルタＦＩＬ−１１、第２フィルタＦＩＬ−１２に入力される。アンプ２ｃによって増幅された映像信号は、第１フィルタＦＩＬ−１１及び第１端子ＴＭ１を介して第１系統の伝送路に第１周波数帯域で伝送されると共に、第２フィルタＦＩＬ−１２及び第２端子ＴＭ２を介して第２系統の伝送路に第１周波数帯域で伝送される。
【００３３】
音声信号伝送部（第２信号伝送手段）３は、信号処理部３ａ、送受信回路３ｂ及び送信用のアンプ３ｃ並びに受信用の第１アンプ（第１信号受信部）３ｄと第２アンプ（第２信号受信部）３ｅを有している。音声信号伝送部３は、アンプ３ｃを介して音声信号（第２信号）を第１系統の伝送路及び第２系統の伝送路に第１周波数帯域とは異なる第２周波数帯域で送信するとともに、第１系統の伝送路及び第２系統の伝送路から伝送された音声信号を第１アンプ３ｄ及び第２アンプ３ｅを介して受信する。信号処理部３ａによって圧縮・符号化等の処理が施された音声信号は、送受信回路３ｂによって送信され、第１アンプ３ｃによって増幅されて、第３フィルタＦＩＬ−２１、第４フィルタＦＩＬ−２２に入力される。アンプ３ｃによって増幅された音声信号は、第３フィルタＦＩＬ−２１及び第１端子ＴＭ１を介して第１系統の伝送路に、第４フィルタＦＩＬ−２２及び第２端子ＴＭ２を介して第２系統の伝送路に、それぞれ第２周波数帯域で伝送される。
【００３４】
また、第１系統の伝送路から伝送された音声信号は、第１端子ＴＭ１及び第３フィルタＦＩＬ−２１を介して第１アンプ３ｄに入力されて増幅を受けた後、送受信回路３ｂによって受信される。同様に、第２系統の伝送路から伝送された音声信号は、第２端子ＴＭ２及び第４フィルタＦＩＬ−２２を介して第２アンプ３ｅに入力されて増幅を受けた後、送受信回路３ｂによって受信される。
【００３５】
第１フィルタＦＩＬ−１１は、アンプ２ｃと第１端子ＴＭ１の間に、第２フィルタＦＩＬ−１２は、アンプ２ｃと第２端子ＴＭ２の間にそれぞれ配設されている。第１フィルタＦＩＬ−１１及び第２フィルタＦＩＬ−１２は、第１周波数帯域の信号を濾波する。また、第３フィルタＦＩＬ−２１は、音声信号伝送部３のアンプ３ｃ及び第１アンプ３ｄと第１端子ＴＭ１の間に、第４フィルタＦＩＬ−２２は、音声信号伝送部３のアンプ３ｃ及び第２アンプ３ｅと第２端子ＴＭ２の間にそれぞれ配設されている。第３フィルタＦＩＬ−２１及び第４フィルタＦＩＬ−２２は、第２周波数帯域の信号を濾波する。
【００３６】
第１出力レベル検知部４ａは、第１端子ＴＭ１と第１フィルタＦＩＬ−１１の間に配設され、第１端子ＴＭ１を介して第１系統の伝送路に出力される信号の振幅を検知し、対応する信号を制御部６に出力する。第２出力レベル検知部４ｂは、第２端子ＴＭ２と第２フィルタＦＩＬ−１２の間に配設され、第２端子ＴＭ２を介して第２系統の伝送路に出力される信号の振幅を検知し、対応する信号を制御部６に出力する。制御部６は、通信装置１０Ａの各部の制御を司る。例えば、制御部６は、第１出力レベル検知部４ａ及び第２出力レベル検知部４ｂから出力された信号に基づいて第１送信レベル調整部５ａ及び第２送信レベル調整部５ｂをフィードバック制御し、第１端子ＴＭ１及び第２端子ＴＭ２を介して出力する信号の振幅を調整する。より具体的には、第１出力レベル検知部４ａによって検知される信号の振幅と、第２出力レベル検知部４ｂによって検知される信号の振幅が等しくなるように、制御部６は、第１送信レベル調整部５ａ及び第２送信レベル調整部５ｂに対応する制御信号を出力する。
【００３７】
第１送信レベル調整部５ａは、映像信号伝送部２のアンプ２ｃと第１フィルタＦＩＬ−１１の間に配設され、第１端子ＴＭ１に送信する信号の振幅を調整する。第２送信レベル調整部５ｂは、映像信号伝送部２のアンプ２ｃと第２フィルタＦＩＬ−１２の間に配設され、第２端子ＴＭ２に送信する信号の振幅を調整する。第１送信レベル調整部５ａ及び第２送信レベル調整部５ｂは、アッテネータ等によって構成されている。
【００３８】
上記構成を有する通信装置１０Ａにおいて、映像信号は、第１周波数帯域を用いて、第１系統の伝送路を介して自機の下位に属する副親機１３、１４に伝送され、第２系統の伝送路を介して他の親機１１に伝送される。音声信号もまた、第２周波数帯域を用いて、第１系統の伝送路を介して自機の下位に属する副親機１３、１４に伝送され、第２系統の伝送路を介して他の親機１１に伝送される。すなわち、映像信号と音声信号は、複数の共通の伝送路を介して周波数分割多重伝送される。
【００３９】
本発明において、第１アンプ３ｄから受信される信号と、第２アンプ３ｅから受信される信号とを互いに逆位相とするために、第１アンプ３ｄは非反転（正転）アンプ、第２アンプ３ｅは反転アンプで構成されている。
【００４０】
また、音声信号送信用のアンプ３ｃの出力を介して第１端子ＴＭ１と第２端子ＴＭ２との間の信号の回り込みを阻止するために、音声信号の信号受信状態では、音声信号送信用のアンプ３ｃと各端子との間の接続を遮断できるように構成されている。
【００４１】
第１実施形態の通信装置１０Ａによれば、映像信号伝送部２のアンプ２ｃから送出された後、第１フィルタＦＩＬ−１１及び第３フィルタＦＩＬ−２１を経由して音声信号伝送部３の第１アンプ３ｄに回り込んで増幅された信号と、アンプ２ｃから送出された後、第２フィルタＦＩＬ−１２及び第４フィルタＦＩＬ−２２を経由して音声信号伝送部３の第２アンプ３ｅに回り込んで増幅された信号とが、互いに逆位相となって打ち消し合うので、音声信号伝送部３の送受信回路３ｂが本来受信する信号に対してノイズとなる映像信号の成分を低減し、誤動作の発生を抑制することができる。特に、第１周波数帯域と第２周波数帯域が近い場合であっても、各フィルタとして急峻な特性を有する高価で複雑な構成のフィルタを用いることなくノイズや誤動作の発生を抑制できるので、通信装置の小型化や低コスト化が可能となる。
【００４２】
また、第１送信レベル調整部５ａ及び第２送信レベル調整部５ｂによって第１端子ＴＭ１に出力する信号及び第２端子ＴＭ２に出力する信号の出力レベルを適宜調整することにより、アンプ２ｃから送出された後、音声信号伝送部３の第１アンプ３ｄに回り込んで増幅された信号の振幅と、アンプ２ｃから送出された後、音声信号伝送部３の第２アンプ３ｅに回り込んで増幅された信号の振幅を同等なものとすることができる。従って、これら２つの信号が加算されて相殺されることで、さらに多くの映像信号の成分を除去できるので、映像信号の回り込みによる音声信号への干渉をより一層低減することが可能となる。また、上記第１送信レベル調整部５ａ及び第２送信レベル調整部５ｂから出力される信号の振幅は、制御部６によって適宜自動的に調整されるので、各系統に接続される通信装置の台数に応じて各系統のインピーダンスが変動し、各系統の伝送路に出力される信号の振幅が変化する場合であっても、映像信号の回り込みによる音声信号への干渉を容易かつ効果的に低減することが可能となる。また、第１系統及び第２系統の伝送路を介して接続される通信装置の台数に応じて、干渉が少なくなるように最適に調整できるので、複数の通信装置を用いた通信システムの構築及び拡張が容易に行えるようになる。
【００４３】
（第２実施形態）
図２は、本発明の第２実施形態による通信装置１０Ｂの構成を示している。通信装置１０Ｂは、通信装置１０Ａと同等の映像信号伝送部２と、音声信号伝送部３と、第１端子ＴＭ１と、第２端子ＴＭ２と、第１フィルタＦＩＬ−１１と、第２フィルタＦＩＬ−１２と、第３フィルタＦＩＬ−２１と、第４フィルタＦＩＬ−２２と、制御部（第１台数検知手段、第２台数検知手段）６等を有し、第１インピーダンス調整回路７ａと、第２インピーダンス調整回路７ｂと、第１多重分離部７ｃと、第２多重分離部７ｄと、切替部７ｅと、制御信号伝送部７ｆ等をさらに有している。
【００４４】
第１インピーダンス調整回路７ａは、第１系統の伝送路のインピーダンスを調整可能に構成され、第１端子ＴＭ１と第１フィルタＦＩＬ−１１の間に配設されている。第２インピーダンス調整回路７ｂは、第２系統の伝送路のインピーダンスを調整可能に構成され、第２端子ＴＭ２と第２フィルタＦＩＬ−１２の間に配設されている。第１系統の伝送路及び第２系統の伝送路に親機１１及び副親機１３、１４が接続されると、各機からアドレス情報を含む制御信号が第１周波数帯域及び第２周波数帯域とは異なる第３周波数帯域で出力され、各伝送路から伝送された制御信号は、多重分離部７ｃ及び７ｄによって分離されて切替部７ｅによって切り替えられ、制御信号伝送部７ｆによって制御部６に伝送される。
【００４５】
各系統の伝送路のインピーダンスは、接続されている通信装置の台数に応じて変動する。例えば、接続されている通信装置の台数が増えると、その系統の伝送路のインピーダンスは減少する。伝送路のインピーダンスが変動すると、アンプ２ｃから音声信号伝送部３の第１アンプ３ｄに回り込む信号と、アンプ２ｃから音声信号伝送部３の第２アンプ３ｅに回り込む信号に影響を及ぼす。
【００４６】
そこで、本通信装置１０Ｂにおいては、第１インピーダンス調整回路７ａ及び第２インピーダンス調整回路７ｂによって各系統の伝送路のインピーダンスを適宜調整することにより、接続台数の増減に関わらず、アンプ２ｃから音声信号伝送部３の第１アンプ３ｄに回り込む信号の振幅と、アンプ２ｃから音声信号伝送部３の第２アンプ３ｅに回り込む信号の振幅を同等なものとしている。各系統の伝送路のインピーダンスの調整は、各系統の伝送路に接続される通信装置に台数に基づいてなされる。制御部６は、制御信号伝送部７ｆから伝送される制御信号に含まれるアドレス情報に基づいて、各系統の伝送路に接続されている通信装置の台数を知得し、第１インピーダンス調整回路７ａ及び第２インピーダンス調整回路７ｂにインピーダンスを調整するための制御信号を出力する。例えば、接続台数が少ない伝送路側のインピーダンスを下げるように制御信号を出力する。
【００４７】
第２実施形態の通信装置１０Ｂによれば、第１インピーダンス調整回路７ａ及び第２インピーダンス調整回路７ｂによって第１系統及び第２系統の伝送路のインピーダンスを適宜調整することにより、各系統の伝送路に出力される信号の振幅を変更できる。これにより、アンプ２ｃから送出された後、音声信号伝送部３の第１アンプ３ｄに回り込む信号の振幅と、アンプ２ｃから送出された後、音声信号伝送部３の第２アンプ３ｅに回り込む信号の振幅を同等なものとすることができ、逆位相の信号の相殺作用によって映像信号の回り込みによる音声信号への干渉をより一層低減することが可能となる。
【００４８】
また、第１系統及び第２系統の伝送路を介して接続される通信装置の台数に応じて、各伝送路のインピーダンスが自動的にかつ最適に調整されるので、複数の通信装置を用いた通信システムの構築及び拡張が容易に行えるようになる。
【００４９】
（第３実施形態）
図３は、本発明の第３実施形態による通信装置１０Ｃの構成を示している。通信装置１０Ｃは、通信装置１０Ａと同等の映像信号伝送部２と、音声信号伝送部３と、第１端子ＴＭ１と、第２端子ＴＭ２と、第１フィルタＦＩＬ−１１と、第２フィルタＦＩＬ−１２と、第３フィルタＦＩＬ−２１と、第４フィルタＦＩＬ−２２と、制御部６等を有し、第1入力レベル検知部（第1入力レベル検知手段）８ａ及び第２入力レベル検知部（第２入力レベル検知手段）８ｂ等をさらに有している。
【００５０】
第３フィルタＦＩＬ−２１及び第４フィルタＦＩＬ−２２は、フィルタ特性を調整する構成（フィルタ特性調整手段）を有している。第３フィルタＦＩＬ−２１の具体的な構成は、特性の異なる複数のフィルタと、制御部６から出力された制御信号に基づいて、いずれかのフィルタを選択的に切り替えるフィルタ切替部等によって実現できる。第４フィルタＦＩＬ−２２の構成についても、これと同様である。
【００５１】
第1入力レベル検知部８ａは、第３フィルタＦＩＬ−２１と音声信号伝送部３の第１アンプ３ｄとの間に配設され、第１端子ＴＭ１から音声信号伝送部３の第１アンプ３ｄに入力される信号の振幅を検知し、対応する信号を制御部６に出力する。第２入力レベル検知部８ｂは、第４フィルタＦＩＬ−２２と音声信号伝送部３の第２アンプ３ｅとの間に配設され、第２端子ＴＭ２から音声信号伝送部３の第２アンプ３ｅに入力される信号の振幅を検知し、対応する信号を制御部６に出力する。
【００５２】
制御部６は、第1入力レベル検知部８ａ及び第２入力レベル検知部８ｂから出力された信号に基づいて、第３フィルタＦＩＬ−２１及び第４フィルタＦＩＬ−２２に制御信号を出力し、フィルタ特性の調整を制御する。例えば、音声信号が停止状態のとき、第１端子ＴＭ１の側から回り込んだ映像信号の振幅と、第２端子ＴＭ２の側から回り込んだ映像信号の振幅とを検知し、第１端子ＴＭ１の側から回り込んだ振幅が大きい場合は、第３フィルタＦＩＬ−２１のフィルタ特性を急峻なものに調整する。あるいは、第４フィルタＦＩＬ−２２のフィルタ特性を緩やかなものに調整してもよい。
【００５３】
第３実施形態の通信装置１０Ｃによれば、第３フィルタＦＩＬ−２１及び第４フィルタＦＩＬ−２２のフィルタ特性を適宜調整することにより、アンプ２ｃから送出された後、音声信号伝送部３の第１アンプ３ｄに回り込む信号の振幅と、アンプ２ｃから送出された後、音声信号伝送部３の第２アンプ３ｅに回り込む信号の振幅を同等なものとすることができ、逆位相の信号の相殺作用によって映像信号の回り込みによる音声信号への干渉をより一層低減することが可能となる。
【００５４】
また、第１入力レベル検知部８ａ及び第２入力レベル検知部８ｂから出力された信号に基づいて、第３フィルタＦＩＬ−２１及び第４フィルタＦＩＬ−２２のフィルタ特性が自動的にかつ最適に調整されるので、複数の通信装置を用いた通信システムの構築及び拡張が容易に行えるようになる。
【００５５】
（第４実施形態）
図４は、本発明の第４実施形態による通信装置１０Ｄの構成を示している。通信装置１０Ｄは、通信装置１０Ａと同等の映像信号伝送部２と、音声信号伝送部３と、第１端子ＴＭ１と、第２端子ＴＭ２と、第１フィルタＦＩＬ−１１と、第２フィルタＦＩＬ−１２と、第３フィルタＦＩＬ−２１と、第４フィルタＦＩＬ−２２と、制御部６等を有し、第１入力レベル検知部８ａ及び第２入力レベル検知部８ｂ等をさらに有している。第１入力レベル検知部８ａ及び第２入力レベル検知部８ｂは、通信装置１０Ｃに設けられているものと同等である。
【００５６】
本実施形態において、第１アンプ３ｄ及び第２アンプ３ｅは、それぞれ独立して利得を調整可能に構成されており、それぞれ送受信回路３ｂに出力する信号の振幅を調整できる。第1アンプ３ｄ及び第２アンプ３ｅにおける利得は、制御部６から出力される制御信号に基づいて自動的に調整される。より具体的には、第１入力レベル検知部８ａによって検知される信号の振幅と、第２入力レベル検知部８ｂによって検知される信号の振幅が等しくなるように、制御部６は、第１アンプ３ｄ及び第２アンプ３ｅの利得の調整値を設定し、対応する制御信号を出力する。
【００５７】
第４実施形態の通信装置１０Ｄによれば、第１アンプ３ｄ及び第２アンプ３ｅの利得を調整することによって、アンプ２ｃから送出された後、音声信号伝送部３の第１アンプ３ｄに回り込む信号の振幅と、アンプ２ｃから送出された後、音声信号伝送部３の第２アンプ３ｅに回り込む信号の振幅を適宜調整して同等なものとすることができ、逆位相の信号の相殺作用によって映像信号の回り込みによる音声信号への干渉をより一層低減することが可能となる。
【００５８】
また、第１入力レベル検知部８ａ及び第２入力レベル検知部８ｂから出力された信号に基づいて、アンプ２ｃから第１アンプ３ｄに回り込む信号及びアンプ２ｃから第２アンプ３ｅに回り込む信号の振幅が自動的にかつ最適に調整されるので、複数の通信装置を用いた通信システムの構築及び拡張が容易に行えるようになる。
【００５９】
なお、本発明は上記実施形態の構成に限られることなく、少なくとも第３フィルタＦＩＬ−２１を介して第１系統の伝送路から受信される信号と、第４フィルタＦＩＬ−２２を介して第２系統の伝送路から受信される信号とが互いに逆位相となるように構成されていればよい。また、本発明は、２世帯住宅のインターホンシステムに限られることなく、複数系統の伝送路を有する通信システムに広く適用可能である。例えば、１世帯住宅であっても、１階の部屋に設置されている副親機を第１系統の伝送路に接続し、２階の部屋に設置されている副親機を（他の親機を介することなく）第２系統の伝送路に接続する場合にも、本発明は適用可能である。このような場合、単一系統の伝送路に各階の副親機を接続する場合と比較して、伝送路の長さを短くすることが可能となり、伝送路の施工が容易なものとなる。
【００６０】
また、本発明は種々の変形が可能であり、例えば、信号処理部２ａ、送受信回路２ｂ、アンプ２ｃを介して送信される信号は、映像信号に限られることなく、第１信号として一般化することができる。同様に、信号処理部３ａ、送受信回路３ｂ、アンプ３ｃ及び第１アンプ３ｄ並びに第２アンプ３ｅを介して送受信される信号は、音声信号に限られることなく、第２信号として一般化することができる。
【００６１】
また、第１実施形態の通信装置１０Ａに、第１多重分離部７ｃ、第２多重分離部７ｄ、切替部７ｅ及び制御信号伝送部７ｆ、並びに第１入力レベル検知部８ａ及び第２入力レベル検知部８ｂ等に相当する構成を適用し、各伝送路に接続された通信装置の台数や第1端子ＴＭ１から第１アンプ３ｄに入力される信号の振幅及び第２端子ＴＭ２から第２アンプ３ｅに入力される信号の振幅を制御部６による制御の基準としてもよい。同様に、第２実施形態の通信装置１０Ｂに、第１出力レベル検知部４ａ、第２出力レベル検知部４ｂ、並びに第１入力レベル検知部８ａ及び第２入力レベル検知部８ｂ等に相当する構成を適用し、各伝送路に出力される信号の振幅や第１端子ＴＭ１から第１アンプ３ｄに入力される信号の振幅及び第２端子ＴＭ２から第２アンプ３ｅに入力される信号の振幅を制御部６による制御の基準としてもよい。さらに、第３実施形態の通信装置１０Ｃ又は第４実施形態の通信装置１０Ｄに、第１出力レベル検知部４ａ、第２出力レベル検知部４ｂ、並びに第１多重分離部７ｃ、第２多重分離部７ｄ、切替部７ｅ及び制御信号伝送部７ｆ等に相当する構成を適用し、上記と同様に制御部６による制御の基準としてもよい。
【００６２】
また、第３実施形態の通信装置１０Ｃにおいて、第１フィルタＦＩＬ−１１及び第２フィルタＦＩＬ−１２のフィルタ特性を調整するように構成してもよい。
【００６３】
また、第４実施形態の通信装置１０Ｄにおいて、入力レベル検知部は、第１アンプ３ｄ及び第２アンプ３ｅと送受信回路３ｂの間に配設されていてもよい。この場合、音声信号が停止の状態で、第１端子ＴＭ１の側から回り込んだ映像信号の成分と、第２端子ＴＭ２の側から回り込んだ映像信号の成分が加算された信号の振幅を検知し、そのレベルが減少するように、制御部６は、第１アンプ３ｄ及び第２アンプ３ｅの利得を制御すればよい。また、第１アンプ３ｄが出力状態かつ第２アンプ３ｅが停止状態で、第１端子ＴＭ１の側からの回り込みレベルを検知し、第１アンプ３ｄが停止状態かつ第２アンプ３ｅが出力状態で、第２端子ＴＭ２の側からの回り込みレベルを検知し、それらが同等になるように各アンプの利得を調整してもよい。
【符号の説明】
【００６４】
２    映像信号伝送部（第１信号伝送手段）
３    音声信号伝送部（第２信号伝送手段）
３ｄ    第１アンプ（第１信号受信部、第１受信レベル調整手段）
３ｅ    第２アンプ（第２信号受信部、第２受信レベル調整手段）
４ａ    第１出力レベル検知部
４ｂ    第２出力レベル検知部
５ａ    第１送信レベル調整部
５ｂ    第２送信レベル調整部
６    制御部（制御手段、第１台数検知手段、第２台数検知手段）
７ａ    第１インピーダンス調整回路
７ｂ    第２インピーダンス調整回路
８ａ    第１入力レベル検知部
８ｂ    第２入力レベル検知部      
１０    親機（主通信装置）
１３、１４、１５、１６    副親機（副通信装置）
１０Ａ、１０Ｂ、１０Ｃ、１０Ｄ    通信装置
ＦＩＬ−１１    第１フィルタ
ＦＩＬ−１２    第２フィルタ
ＦＩＬ−２１    第３フィルタ（フィルタ特性調整手段）
ＦＩＬ−２２    第４フィルタ（フィルタ特性調整手段）
ＴＭ１    第１端子
ＴＭ２    第２端子
【図１】
2011135231.tif 000003
【図２】
2011135231.tif 000004
【図３】
2011135231.tif 000005
【図４】
2011135231.tif 000006
【図５】
2011135231.tif 000007
【図６】
2011135231.tif 000008